(57)【要約】【課題】本発明は、棒状の導光体を備えた照明装置に関するもので、照明効果を高めることを目的とするものである。【解決手段】そして、この目的を達成するために、本発明は、取付面３と出射面４を有する長形状の本体５と、この本体５内に設けられた長形状の導光体６と、この導光体６の入射面７から光をこの導光体６内に入射させる光源８と、を備え、前記導光体６は前記本体５の出射面４に対向する面が出射部１１、この出射部１１の前記本体５の出射面４とは反対側の面が反射部１２となった構成とし、前記導光体６の出射部１１において、前記本体５の前記取付面３とは反対側には、前記反射部１２とは分岐された取付面反射部１３を設け、この取付面反射部１３は、前記反射部１２との分岐部から前記出射部１１とは反対側に突出させた。【選択図】図１
2015022825.tif 000002
【特許請求の範囲】
【請求項１】
取付面と出射面を有する長形状の本体と、この本体内に設けられた長形状の導光体と、この導光体の入射面から光をこの導光体内に入射させる光源と、を備え、
前記導光体は前記本体の出射面に対向する面が出射部、この出射部の前記本体の出射面とは反対側の面が反射部となった構成とし、
前記導光体の出射部において、前記本体の前記取付面とは反対側には、前記反射部とは分岐された取付面反射部を設け、この取付面反射部は、前記反射部との分岐部から前記出射部とは反対側に突出させた照明装置。
【請求項２】
前記導光体の出射部は、本体の取付面側と取付面反射部側が本体の出射面に向けて突出し、これら本体の取付面側と取付面反射部側の間が反射部側に向けて窪んだ形状とし、前記取付面反射部は、出射部の前記本体の取付面側に向けて対向させたことを特徴とする請求項１に記載の照明装置。
【請求項３】
前記導光体の反射部と取付面反射部は、本体で支持した請求項１または２に記載の照明装置。
【請求項４】
前記導光体の反射部と取付面反射部は、本体と一体化した請求項３に記載の照明装置。
【請求項５】
前記本体の出射面は、透光性材料で構成した請求項１から４のいずれか一つに記載の照明装置。
【請求項６】
前記本体の出射面は、透光カバーによって構成した請求項５に記載の照明装置。
【請求項７】
前記反射部の底面の幅よりも、前記取付面反射部の底面の幅を広くした請求項１から６のいずれか一つに記載の照明装置。
【発明の詳細な説明】
【技術分野】
【０００１】
本発明は、棒状の導光体を備えた照明装置に関する。
【背景技術】
【０００２】
近年、導光体を用いた照明装置が提案され、脚光を浴びている。
すなわち、光源が１つまたは２つという少ない状態でもこの光源からの光を導光体に導入することで広い部分の照明を行うことができるようになるのである。
具体的には、取付面と出射面を有する長形状の本体と、この本体内に設けられた長形状の導光体と、この導光体の入射面から光をこの導光体内に入射させる光源と、を備え、導光体は前記本体の出射面に対向する面が出射部、この出射部の前記本体の出射面とは反対側の面が反射部となった構成となっていた（例えば、これに類似する先行文献としては、下記特許文献１が存在する）。
【先行技術文献】
【特許文献】
【０００３】
【特許文献１】特開２００５−２２８５３６号公報
【発明の概要】
【発明が解決しようとする課題】
【０００４】
上記従来例においては、光源から導光体内に光を入射させると、光はこの導光体の長手方向に広がり、長形状となった導光体の出射部から本体の出射面を介して、長い部分の照明を行うことができるようになっている。
しかしながら、この従来例においては、本体の出射面に対向する、例えば床面を照明するだけで、その照明効果が低いものであった。
すなわち、床面も細長い状態で照明されるだけのものであるので、この細長い部分だけの照明では、この照明部における目視面積が小さく、これによって照明効果の低いものになってしまうのであった。
【０００５】
そこで本発明は、照明効果を高めることを目的とするものである。
【課題を解決するための手段】
【０００６】
そして、この目的を達成するために、本発明は、取付面と出射面を有する長形状の本体と、この本体内に設けられた長形状の導光体と、この導光体の入射面から光をこの導光体内に入射させる光源と、を備え、前記導光体は前記本体の出射面に対向する面が出射部、この出射部の前記本体の出射面とは反対側の面が反射部となった構成とし、前記導光体の出射部において、前記本体の前記取付面とは反対側には、前記反射部とは分岐された取付面反射部を設け、この取付面反射部は、前記反射部との分岐部から前記出射部とは反対側に突出させ、これにより所期の目的を達成するものである。
【発明の効果】
【０００７】
以上の様に本発明は、取付面と出射面を有する長形状の本体と、この本体内に設けられた長形状の導光体と、この導光体の入射面から光をこの導光体内に入射させる光源と、を備え、前記導光体は前記本体の出射面に対向する面が出射部、この出射部の前記本体の出射面とは反対側の面が反射部となった構成とし、前記導光体の出射部において、前記本体の前記取付面とは反対側には、前記反射部とは分岐された取付面反射部を設け、この取付面反射部は、前記反射部との分岐部から前記出射部とは反対側に突出させたので、照明効果の高いものとなる。
すなわち、本発明は、前記導光体の出射部において、前記本体の前記取付面とは反対側には、前記反射部とは分岐された取付面反射部を設け、この取付面反射部は、前記反射部との分岐部から前記出射部とは反対側に突出させたので、本体の出射面に対向する部分だけでなく、取付面反射部によって本体の取付面側も照明されることになる。このため、照明する面積が増え、その結果として照明効果の高いものとなるのである。
【図面の簡単な説明】
【０００８】
【図１】本発明の一実施形態の照明装置を壁に取り付けた状態を示す斜視図
【図２】同上の照明装置の分解斜視図
【図３】同上の照明装置を壁に取り付けた状態を示す断面図
【図４】同上の照明装置の分解斜視図
【図５】同上の照明装置の取付作業を示す斜視図
【図６】同上の照明装置の取付作業を示す斜視図
【図７】同上の照明装置の取付作業を示す斜視図
【図８】同上の照明装置の要部拡大断面図
【図９】同上の照明装置の要部拡大断面図
【発明を実施するための形態】
【０００９】
（実施の形態）
以下、添付図面に基づいて本発明の一実施形態について説明する。
【００１０】
図１は、本発明の一実施形態を示し、この実施形態では、照明装置１を壁２の下方に取り付け、例えば夜間における動線（人の動く方向を示すもの）を暗示させるものである。
【００１１】
すなわち、夜間において、天井などの照明が消灯させられた状態において、壁の下方を照明装置１によって照明することで、動線を暗示させるものとなっているのである。
【００１２】
前記照明装置１は、この図１に示すように、壁２への取付面３と出射面４を有する長形状の本体５と、この本体５内に設けられた図２から図４に示す長形状の導光体６と、この導光体６の入射面７から光をこの導光体６内に入射させる光源８と、を備えている。
【００１３】
また、導光体６の上方および壁２とは反対側の部分は、透光カバー９で覆われた状態となっている。
【００１４】
すなわち、この透光カバー９は、上記本体５の一部を構成するものであって、その上面の導光体６に対向する部分から壁２側の部分は、透明な出射面４となっている。このため、透光カバー９は、透光性材料で構成され、前記出射面４は、この透光性を維持し、この出射面４よりも壁２とは反対側を不透光性材料で、いわゆる二色成型した構成となっている。これにより、出射面４の壁２とは反対側部分は、不透光性部１０となっている。
【００１５】
さらに、導光体６は、図３、図８、図９に示すように、前記本体５の出射面４に対向する面が出射部１１、この出射部１１前記本体５の出射面４とは反対側の面が反射部１２となっている。
【００１６】
また、前記導光体６の出射部１１において、前記本体５の前記取付面３とは反対側には、前記反射部１２とは分岐された取付面反射部１３を設け、この取付面反射部１３は、前記反射部１２との分岐部から前記出射部１１とは反対側に突出させている。
【００１７】
さらに、前記導光体６の出射部１１は、図８、図９から理解されるように、本体５の取付面３側と取付面反射部１３側が本体５の出射面４に向けて突出し、これら本体５の取付
面３側と取付面反射部１３側の間が反射部１２側に向けて窪んだ形状となっており、この状態で、前記取付面反射部１３は、出射部１１の前記本体５の取付面３側に向けて対向させた形状となっている。
【００１８】
さらにまた、この図８、図９から理解されるように、前記反射部１２の底面の幅よりも、前記取付面反射部１３の底面の幅を広くし、これによって、図８、図９のごとく、取付面３を取り付ける壁２も照明するようにしているのである。
【００１９】
なお、前記導光体６の反射部１２と取付面反射部１３は、本体５で支持された状態、具体的には、前記導光体６の反射部１２は、下部の本体５と一体化され、また取付面反射部１３は、アーム１４を介して本体５と一体化されている。なお、本実施形態においては、透光カバー９を除く本体５部分（導光体６、取付面反射部１３、アーム１４を含む）は、合成樹脂の押出成型によって一体に同時に成型されている。
そして、このような構成の導光体６は、例えば図４に示すように長手方向において分割されており、その分割部と、分割された一方の端部に光源８が装着されるようになっている。つまり、導光体６の入射面７に光源８が装着され、これによって光源８からの光は、入射面７から入射し、導光体６の長手方向に進行するようになっている。
このような構成となった照明装置１は、先ず図５の如く、本体５の取付面３を壁２へ当て、その状態で、図６の如く、本体５の導光体６下方部分から壁２に向けて、釘１５（止め具の一例）を打ち込み、取り付けを完了する。
なお、本体５の釘１５を打ち込む部分は、図６、図７から理解されるように、導光体６上に透光カバー９を装着した状態では、この透光カバー９によって覆われ、外部に表出することは無い。
さて、このようにして図７の如く取り付けられた状態で、光源８を点灯させると、この光源８からの光は、入射面７から導光体６内に入射し、導光体６の長手方向に進行する。
そして、この進行状態で導光体６の下方に存在する反射部１２から反射された光は、図８、図９のごとく導光体６の出射部１１から矢印Ａのごとく上方に出射され、上方の照明を行う。
なお、この出射部１１は上述の如く、本体５の取付面３側と取付面反射部１３側が本体５の出射面４に向けて突出し、これら本体５の取付面３側と取付面反射部１３側の間が反射部１２側に向けて窪んだ形状、いわゆる凹面形状となっているので、光は図８のごとく広がった状態となる。
このため、導光体６の出射部１１から矢印Ａのごとく上方に出射された光の一部は、壁２を照明するようになる。
また、導光体６の長手方向に進行する状態で、取付面反射部１３で反射され、導光体６の出射部１１から矢印Ｂのごとく出射した光は、この照明装置１を取り付けた壁２を照明することになる。
この場合、前記反射部１２の底面の幅よりも、前記取付面反射部１３の底面の幅を広くしているので、図９のごとく、取付面３を取り付ける壁２はより鮮明に照明されることとなる。
【００２０】
また、この取付面反射部１３は、上述の如く導光体６の出射部１１において、前記本体５の前記取付面３とは反対側になっているので、上記凹面の一部しか用いられないが、取付面反射部１３で反射した光も広げられた状態で、壁２を照明する。
【００２１】
そして、このような構成によって、本実施形態では、壁２下部を効果的に照明することができるので、夜間において、天井などの照明が消灯させられた状態において、壁２の下方が照明装置１によって効果的に照明されることで、動線を暗示させるものとすることができる。
【００２２】
つまり、照明効果の高いものとなるのである。
【００２３】
なお、上記実施形態では、導光体６の出射部１１を上方にして本体５を壁２に取り付けたが、導光体６の出射部１１を下方にして本体５を壁２に取り付けても良い。
【００２４】
このようにすれば、図９の矢印Ａで示した反射部１２で反射された光は、床面を照明するものとなる。
【産業上の利用可能性】
【００２５】
以上の様に本発明は、取付面と出射面を有する長形状の本体と、この本体内に設けられた長形状の導光体と、この導光体の入射面から光をこの導光体内に入射させる光源と、を備え、前記導光体は前記本体の出射面に対向する面が出射部、この出射部の前記本体の出射面とは反対側の面が反射部となった構成とし、前記導光体の出射部において、前記本体の前記取付面とは反対側には、前記反射部とは分岐された取付面反射部を設け、この取付面反射部は、前記反射部との分岐部から前記出射部とは反対側に突出させたので、照明効果の高いものとなる。
すなわち、本発明は、前記導光体の出射部において、前記本体の前記取付面とは反対側には、前記反射部とは分岐された取付面反射部を設け、この取付面反射部は、前記反射部との分岐部から前記出射部とは反対側に突出させたので、本体の出射面に対向する部分だけでなく、取付面反射部によって本体の取付面側も照明されることになる。このため、照明する面積が増え、その結果として照明効果の高いものとなるのである。
【００２６】
このため、各種建築物や構造物の照明装置としての活用が期待されるものとなる。
【符号の説明】
【００２７】
１  照明装置
２  壁
３  取付面
４  出射面
５  本体
６  導光体
７  入射面
８  光源
９  透光カバー
１０  不透光性部
１１  出射部
１２  反射部
１３  取付面反射部
１４  アーム
１５  釘
【図１】
2015022825.tif 000003
【図２】
2015022825.tif 000004
【図３】
2015022825.tif 000005
【図４】
2015022825.tif 000006
【図５】
2015022825.tif 000007
【図６】
2015022825.tif 000008
【図７】
2015022825.tif 000009
【図８】
2015022825.tif 000010
【図９】
2015022825.tif 000011